(57)【要約】  【課題】  簡易、低廉、かつ、有効に不正開封を判別できる封筒を提供すること。  【解決手段】  封筒裏面１に所定形状の切込み３を形成し、前記切込み３は、フラップ２を折返した際、前記切込み３の一部分３１がフラップ２によって覆われる位置１２に形成された不正開封判別封筒Ａを提供する。この封筒Ａでは前記位置に切込み３が形成されているため、開封時（フラップ２をはがした際）には、切込み３が破れてフラップ２に接着したままの状態のまま開封される。従って、簡易に不正開封を識別できる。また、切込み３の切り残し部分３３の位置を、フラップ２を折返した際、フラップによって覆われない位置１３に形成する構成にしてもよい。これにより、開封時に、切込み３の切り残し部分３３が破れ、開封した痕跡が明瞭に残るため、外観から容易に不正開封を識別できる。  【選択図】  図１
0003111241.tif 000002
【実用新案登録請求の範囲】
【請求項１】
封筒裏面に所定形状の切込みを形成し、
前記切込みは、フラップを折返した際、前記切込みの一部分が前記フラップによって覆われる位置に形成された不正開封判別封筒。
【請求項２】
封筒裏面に所定形状の切込みを形成し、
前記切込みは、フラップを折返した際、前記切込みの一部分が前記フラップによって覆われる位置に形成され、
前記切込みの切り残し部分を、フラップを折返した際、フラップによって覆われない位置に形成した不正開封判別封筒。
【請求項３】
シートを折り曲げて形成された封筒であって、
封筒裏面の底又は胴部分に前記シートを重ねて貼付した貼付部分を有するとともに、
前記封筒裏面に所定形状の切込みを形成し、
前記切込みは、前記貼付部分の内側のシートに、その一部分が前記貼付部分からはみ出した状態で形成され、
前記切込みは、前記貼付部分からはみ出した位置に、切り残し部分を有した不正開封判別封筒。
【考案の詳細な説明】
【技術分野】
【０００１】
本考案は、不正開封判別封筒に関する。
【背景技術】
【０００２】
近年、封筒の不正開封が問題となっている。例えば、第三者が、封筒のフラップを丁寧にはがし、封筒の中身を見た後、再び、糊付けして、封緘した場合、本人は、不正開封に気付かない可能性がある。即ち、本人の知らない間に、封筒の中身が、第三者に盗み見されている恐れがある。
【０００３】
そのような不正開封を予防する手段として、例えば、以下の文献が開示されている。特許文献１には、不正開封を判別できる包装体（封筒）が開示されている。この包装体は、フラップを貼付する部分に合成樹脂積層体を備えている。そして、フラップを剥がすと、その積層体中のインク層が破壊され、所定の文字が現れる構成になっており、不正開封を一目で判別できる。また、特許文献２には、フラップを貼付する部分に破断スリットを設けることにより、不正開封を確認できる封筒が開示されている。
【特許文献１】特開２００３−２５２３４３号公報
【特許文献２】特開２００４−１９６３１７号公報
【考案の開示】
【考案が解決しようとする課題】
【０００４】
従来のものは、不正開封を確認するための構成が複雑で、安価に製造することが難しかった。また、従来のものよりも、簡易かつ有効に、不正開封を判別できる手段が求められていた。
【０００５】
そこで、本考案は、簡易、低廉、かつ、有効に不正開封を判別できる封筒を提供することを主な目的とする。
【課題を解決するための手段】
【０００６】
本発明では、封筒裏面に所定形状の切込みを形成し、前記切込みは、フラップを折返した際、前記切込みの一部分が前記フラップによって覆われる位置に形成された不正開封判別封筒を提供する。
【０００７】
この封筒では上述の位置に切込みが形成されているため、開封時（フラップをはがした際）には、切込みが破れてフラップに接着したままの状態のまま開封される。従って、簡易に不正開封を識別できる。
【０００８】
また、この封筒では、切込みの一部分が、フラップを折返した際、フラップによって覆われる位置に形成されており、切込みの他の部分は、封緘時にフラップによって覆われない位置に形成されている。そのため、封緘時（フラップを折返した際）にも、外観から、切込みが形成されていることを確認できる。従って、第三者の不正開封を抑止できる。
【０００９】
加えて、本発明に係る不正開封判別封筒は、前記切込みの切り残し部分を、フラップを折返した際、フラップによって覆われない位置に形成した構成にしてもよい。
【００１０】
この構成の場合、開封時に、切込みの切り残し部分が破れ、開封した痕跡が明瞭に残るため、例えば、第三者が不正開封後きれいに貼り付けなおした場合でも、外観から容易に不正開封を識別できる。また、不正開封を外観から容易に判別できるため、第三者の不正開封を抑止できる。
【００１１】
その他、シートを折り曲げて形成された封筒で、封筒裏面の底又は胴部分に前記シートを重ねて貼付した貼付部分を有する場合、封筒裏面に所定形状の切込みを形成し、前記切込みを、前記貼付部分の内側のシートに、その一部分が前記貼付部分からはみ出した状態に形成し、前記切込みの切り残し部分を、貼付部分からはみ出した位置に設ける構成にしてもよい。
【００１２】
この構成にすることにより、フラップ以外の貼付部分をはがして、不正開封を行った場合にも、外観から容易に不正開封を識別できる。また、不正開封を外観から容易に判別できるため、第三者の不正開封を抑止できる。
【考案の効果】
【００１３】
本発明により、封筒の不正開封を簡易に判別できる。
【考案を実施するための最良の形態】
【００１４】
以下、本考案を実施するための好適な形態について、添付図面を参照にしながら説明する。
【００１５】
図１は、本発明に係る不正開封判別封筒の一例を示した外観模式図である。
【００１６】
図１では、不正開封判別封筒Ａは、封筒本体（裏面）１と、封緘時に折返すフラップ２とを備え、封筒裏面１には、所定形状の切込み３が形成されている。なお、符号１１は、フラップ２を折返した際に、フラップ２の端縁２１が封筒裏面１と接する位置を示す。
【００１７】
切込み３は、フラップ２を折返した際、切込み３の一部分（符号３１）が、フラップ２によって覆われる位置１２に形成されている。即ち、切込み３は、その一部分（符号３１）がフラップ２によって覆われる位置１２に形成され、他の部分（符号３２）がフラップ２によって覆われる位置１２からはみ出した位置１３に形成されている。
【００１８】
上記構成により、開封時（フラップをはがした際）にも、切込みがフラップに接着したままの状態となるため（詳細は後述する）、簡易に不正開封を識別できる。また、図１中符号３２に示す通り、封緘時（フラップを折返した際）にも、外観から、切込みが形成されていることを確認できるため、第三者の不正開封を抑止できる。
【００１９】
加えて、図１では、切込み３の切り残し部分３３が、フラップ２を折返した際、フラップ２によって覆われない位置１３に形成されている。この位置（符号１３）に切込み３の切り残し部分３３を形成することにより、開封時に、切り残し部分３３が破れ、開封した痕跡が明瞭に残るため、例えば、第三者が不正開封後きれいに貼り付けなおした場合でも、外観から容易に不正開封を識別できる。
【００２０】
なお、切込み３の形状は、封筒裏面１と一部分が接続した状態のものであれば、特に限定されない。切込み３の形状として、例えば、略Ｕ字形状、略コの字形状、略Ｖ字形状、略矩形状、略円形状、略楕円形状、略三角形状、略星型形状、略台形状などを適用できる。
【００２１】
図２は、本発明に係る不正開封判別封筒が不正開封された状態を示す模式図である。
【００２２】
封緘時には、封筒Ａのフラップ２を折り返し、封筒裏面１とフラップ２を糊など接着剤で接着させる。従って、封緘時には、封筒裏面１に形成された切込み３とフラップ２も接着している。そのため、例えば、フラップ２をはがして不正開封を行った場合（矢印Ｘ）、図２に示す通り、切込み３は、破けて、フラップ２に接着した状態のまま開封される（符号３’、矢印Ｙ参照）。従って、簡易に不正開封を識別できる。
【００２３】
また、図２のように、切込み３の切り残し部分３３を、フラップ２を折返した際、フラップ２によって覆われない位置１３に形成した場合、開封時に、切り残し部分３３が破れ、開封した痕跡３４が明瞭に残るため、例えば、第三者が不正開封後きれいに貼り付けなおした場合でも、外観から容易に不正開封を識別できる。
【００２４】
図３は、本発明に係る不正開封判別封筒の別の一例を示した外観模式図である。
【００２５】
図３では、不正開封判別封筒Ａは、封筒本体（裏面）１と、封緘時に折返すフラップ２、封筒裏面１の底１４に折返してシートを重ね貼付した底貼付部分１５、封筒裏面１の胴部分１６にそれぞれ折返したシートを重ね貼付した胴貼付部分１７、を備える。そして、切込み３は、図１などと同様の箇所に形成されているほか（符号３Ａ）、底貼付部分１５と胴貼付部分１７にも、その一部分が前記貼付部分（符号１５、１７）からはみ出した状態で形成されている（それぞれ、符号３Ｂ、３Ｃ）。
【００２６】
底貼付部分１５及び／又は胴貼付部分１７の内側のシートにも切込み（符号３Ｂ、３Ｃ）を形成することにより、フラップ２以外の貼付部分（符号１５、１７）をはがして、不正開封を行った場合にも、不正開封を判別できる。
【００２７】
また、前記と同様、切込み（符号３Ｂ、３Ｃ）の切り残し部分（符号３３Ｂ、３３Ｃ）を、貼付部分（符号１５、１７）からはみ出した位置に設けることにより、フラップ２以外の貼付部分（符号１５、１７）をはがして、不正開封を行った場合にも、外観から不正開封を判別できる。
【００２８】
その他、切込み（符号３Ｂ、３Ｃ）の形状、構成は、図１などに示した切込み３と同様のものを適用できる。また、切込み３（符号３Ａ、３Ｂ、３Ｃど）の位置、個数は、上述の範囲内であれば、目的や外観のデザインなどに応じて、任意に定めることができる。
【産業上の利用可能性】
【００２９】
本発明に係る不正開封判別封筒は、簡易かつ低廉に製造可能である。従って、製造コストを抑制できる。また、本発明に係る不正開封判別封筒の開発により、封筒の不正開封を抑止できる可能性がある。
【図面の簡単な説明】
【００３０】
【図１】本発明に係る不正開封判別封筒の一例を示した外観模式図。
【図２】本発明に係る不正開封判別封筒が不正開封された状態を示す模式図。
【図３】本発明に係る不正開封判別封筒の別の一例を示した外観模式図。
【符号の説明】
【００３１】
１    封筒本体（裏面）
１１  フラップを折返した際に、フラップの端縁が封筒裏面１と接する位置
２    フラップ
３    切込み
３３  切込み３の切り残し部分
Ａ    封筒
【図１】
0003111241.tif 000003
【図２】
0003111241.tif 000004
【図３】
0003111241.tif 000005